(57)【特許請求の範囲】
【請求項１】
ケーブル網を用いて多重インターネット接続を提供するシステムであって、
加入者からのデジタルデータ信号をＲＦ信号に変調する第１及び第２ケーブルモデムと、
前記第１ケーブルモデムに接続され、前記第１ケーブルモデムからの変調されたＲＦ信号をフィルタリングする第１フィルタリング手段と、
フィルタリングされた変調ＲＦ信号と、前記第２ケーブルモデムからの変調されたＲＦ信号とを伝送する伝送手段と、
前記伝送手段に接続され、伝送手段によって伝送された変調ＲＦ信号をフィルタリングすることにより、前記第１フィルタリング手段からのフィルタリングされた変調ＲＦ信号を通過させる第２フィルタリング手段と、
加入者にＩＰアドレスを割当てる第1ホストサーバ内の第1ＤＨＣＰサーバと、
加入者にＩＰアドレスを割当てる第２ホストサーバ内の第２ＤＨＣＰサーバと、
前記第２フィルタリング手段に接続され、前記第２フィルタリング手段によってフィルタリングされた変調ＲＦ信号を再びデジタルデータ信号に復調し、デジタルデータ信号を検査して既登録の加入者を識別することにより、加入者を前記第1ホストサーバに接続させる第１ケーブルモデム伝送システム（ＣＭＴＳ）と、
伝送された変調ＲＦ信号を再びデジタルデータ信号に復調し、デジタルデータを検査して既登録の加入者を識別することにより、加入者を前記第2ホストサーバに接続させる第２ＣＭＴＳとを含むことを特徴とする多重インターネット接続提供システム。
【請求項２】
前記第１及び第２フィルタリング手段は、それぞれ、高域通過フィルタである請求項１に記載の多重インターネット接続提供システム。
【請求項３】
前記第１及び第２フィルタリング手段は、それぞれ、帯域通過フィルタである請求項１に記載の多重インターネット接続提供システム。
【請求項４】
前記第１及び第２フィルタリング手段は、それぞれ、３２ＭＨｚ高域通過フィルタである請求項２に記載の多重インターネット接続提供システム。
【請求項５】
前記第１及び第２フィルタリング手段は、それぞれ、１６〜３２ＭＨｚ帯域通過フィルタである請求項３に記載の多重インターネット接続提供システム。
【請求項６】
前記伝送手段は、光同軸ハイブリッド伝送網である請求項１に記載の多重インターネット接続提供システム。
【発明の詳細な説明】
【０００１】
発明の属する技術分野
本発明は、通信システムに関し、特に、光同軸ハイブリッド伝送網を用いて多重インターネットサービス接続を提供する装置に関し、データ上り帯域において用いられる周波数帯域を分割することにより多重インターネットサービス接続を提供する。
【０００２】
背景
ケーブルＴＶ網は、広い領域に渡って大勢の加入者にケーブルＴＶサービスを提供する。多くのケーブルＴＶ業者は、ケーブルシステムの基盤構造で部分的に信号伝送用として光ケーブルを使用する傾向がある。光ケーブルを使用することにより、ケーブルシステムの双方向通信開発に拍車をかけていた。ケーブル通信において、従来の電話線を用いることより遥かに速いケーブルライン、例えば、光同軸ハイブリッド伝送網を用いて信頼性の有る、且つ、効率的な双方向通信を提供することにより、加入者にとってインターネット接続からケーブル通信に至るまで多様なサービスを受けるようにしている。
【０００３】
全世界のコンピュータ網に相互接続されているインターネットは、ダウンロード及び視聴するのに大きい帯域幅が求められるオーディオ、ビデオ、グラフィック及びテキストを含むマスメディアコンテンツを提供する。大部分のインターネットサービス業者（ＩＳＰ；Internet Service Provider）は、加入者が公衆交換電話網（ＰＳＴＮ；Public Switched Telephone Network）からシリアル電話ラインを経由してインターネットを接続することができるようにしている。公衆交換電話網ＰＳＴＮは、データ伝送速度が１４，０００ｂｐｓ、２８，０００ｂｐｓ、３３，６００ｂｐｓ、５６，０００ｂｐｓで、１０Ｍｂｐｓ〜３０Ｍｂｐｓのデータ伝送速度を有するケーブルＴＶ網で用いる同軸ケーブル又は光同軸ハイブリッド伝送網のデータ伝送速度よりは遥かに遅い。
【０００４】
インターネット需要の爆発的な増加により、多くの加入者はケーブルＴＶ網のより大きい帯域幅を用いてインターネット及びその他のコンピュータ網に接続しようとする。ケーブルモデムは、ケーブルＴＶ網を介してインターネット、イントラネット、近距離通信網及びその他のコンピュータ網に加入者がより速い速度で接続することができるようにする。このようなケーブルモデムは、インターネット及びその他のコンピュータ網に約３０Ｍｂｐｓほどのダウンロードデータ速度でケーブルＴＶ網を介してデータ接続を支援する。
【０００５】
最近、インターネットサービス業者ＩＳＰは、加入者が光同軸ハイブリッド伝送網を介してインターネットに接続することができるようにして、インフラストラクチャー費用を節減することができる。更に、一つ以上のＩＳＰが一つのケーブルＴＶ網を用いて加入者がデータサービスを利用することができるようにして追加の費用を節減することができる。
【０００６】
図１は、デジタルデータ伝送を目的にケーブルモデムを利用する従来の双方向光同軸ハイブリッド伝送システムのフロック図を示す。上記システムは、ケーブルモデム伝送システム（ＣＭＴＳ；cable modem termination system）１００、２００と、ＩＳＰ１及びＩＳＰ２のホストサーバにあり、ＣＭＴＳ１００及び２００にそれぞれ接続されている動的ホスト構成プロトコル（ＤＨＣＰ；Dynamic Host Configuration Protocol）サーバ１０２、２０２と、伝送ライン５０、例えば、光同軸ハイブリッド伝送網ラインと、複数個のケーブルモデム１１２、２１２と、加入者装置１１４、２１４及び１２８とを含み、ＤＨＣＰサーバ１０２、２０２は、ＩＰ網で各々の加入者１１４、２１４に構成パラメータやＩＰアドレスを動的に割当てる。
【０００７】
伝送ライン５０は、ケーブルＴＶ ＲＦ信号をＣＭＴＳ１００、２００からの各ＲＦデータ信号と混合するミキサー１０４と、混合されたＲＦ信号を光信号に変換して伝送する光伝送器（ＯＴＸ）１０６と、下り伝送において光信号を再び混合されたＲＦ信号に変換し、上り伝送において各々の加入者装置１１４からのＲＦ信号を光信号に変換する光網終端装置（ＯＮＵ）１０８と、伝送された混合ＲＦ信号をケーブルモデム１１２、２１２を介して各々の加入者装置１１４、２１４に分配するタップ１１０と、光網終端装置１０８からの光信号を再びＲＦ信号に変換する光受信器（ＯＲＸ）１２０と、１６ＭＨｚ以下の伝送キャリア周波数をフィルタリングして除去する１６ＭＨｚ高域通過フィルタ１２２と、フィルタリングされたＲＦ信号をＣＭＴＳ１００、２００に分配する分配器１２４とを含む。
【０００８】
ＣＭＴＳ１００、２００の各々の主要機能は、（１）データネットワーク、例えば、インターネット１３０からの信号を受信し、上記信号のフォーマットを変更、例えば、マイクロウェーブ信号をケーブル網において伝送するのに適した電気信号に変更し、（２）ケーブルシステムによって受信されたデータに対する適当なメディアアクセス制御（ＭＡＣ；media access control）レベルパケットヘッダを提供し、（３）ケーブルシステムへ／からのデータを変復調する。
【０００９】
各々のＤＨＣＰサーバ１０２、２０２は、加入者が固定された一定時間の間にＩＰアドレスを自動的に得られるようにし、時間満了されたＩＰアドレスを他の加入者に再割当し、加入者装置の動作に求められる追加構成パラメータを提供する。
【００１０】
ミキサー１０４は、ケーブルＴＶ ＲＦ信号を変調されたＲＦ信号と混合し、混合されたＲＦ信号を出力する。次に、混合されたＲＦ信号は、光伝送器１０６で光信号に変換され、光ケーブル１１６を介して光網終端装置１０８に伝送される。光網終端装置１０８は、伝送された光信号を混合されたＲＦ信号に再び変換し、同軸ケーブル１１８を介してタップ１１０に伝送する。タップ１１０は、混合されたＲＦ信号をケーブルモデム１１２、２１２やケーブルコンバータ１２６を介して加入者装置にそれぞれ分配する。
【００１１】
ケーブルモデム１１２は、データ下りストリームにおいて変調されたＲＦ信号をデジタル信号に復調し、復調されたデジタルデータを加入者装置１１４に伝送する。データ上りストリームにおいては逆に動作する。すなわち、デジタルデータは、ケーブルモデムに伝送され、デジタルデータがＲＦ信号に変換される。一旦、ＣＭＴＳがＲＦ信号を受信すると、デジタルデータに復調した後、ホストサーバにデジタルデータを伝送する。
【００１２】
ＤＨＣＰサーバ１０２は、動的ホスト構成プロトコルを基盤にして、ＩＰアドレスを加入者装置１１４に自動的に割当てる。ＩＰアドレスの割当過程は、以下に詳細に説明する。
【００１３】
ケーブルシステムにおいて、デジタルデータは、ＲＦキャリア信号を通して伝送される。ＣＭＴＳ１００または２００は、データ下りストリームにおいてデジタルデータを伝送ライン５０を介して加入者装置１１４または２１４に伝送されるＲＦ信号に変調する。上記ネットワークにある各々のＣＭＴＳは、各々が個別のＩＳＰに関連するサブインターペースを有する。各々のサブインターペースには、上記サブインターペースに関連する特定ＩＳＰに対する唯一の経路を含む特定フォワードテーブル、例えば、公知のＣｉｓｃｏ−ＶＲＦが割当てられる。
【００１４】
伝送ライン５０を介してＣＭＴＳ１００または２００に各々接続されたケーブルモデム１１２または２１２は、基本的に下記の過程を通じて、特定ＩＳＰ、例えば、ＩＳＰ１またはＩＳＰ２に接続される。
各々のケーブルモデム１１２または２１２が最初起動をし、ＤＨＣＰ要請信号をＤＨＣＰサーバ１０２または２０２に中継するＣＭＴＳ１００または２００に伝送する。
既に該当分野に公知にされたＭＡＣアドレス基盤認証過程の後、ＤＨＣＰサーバ１０２、２０２は、要請されたＩＳＰに属する割当ＩＰアドレスをＣＭＴＳ１００または２００に再度伝送する。
ＣＭＴＳ１００または２００は、該当加入者ＩＤを各々のケーブルモデム１１２または２１２に割当て、上記加入者ＩＤをＩＰアドレスが属する該当ＩＳＰ、例えば、ＩＳＰ１又はＩＳＰ２に割当てられたサブインターペースに接続させる。
【００１５】
上記の過程を通じて、各々のケーブルモデム１１２または２１２は、該当ＩＳＰ、例えば、ＩＳＰ１またはＩＳＰ２に接続される。
【００１６】
しかし、ケーブルモデム１１２が該当ＩＳＰに正確に接続されるには、次のような問題が生じる。複数個のケーブルモデムがデータ上りストリームにおいて同一の周波数帯域、例えば、５〜４２ＭＨｚを使用するため、ケーブルモデムの各々の信号が干渉を起してケーブルモデムが正確に該当ＣＭＴＳに接続できない問題点がある。よって、ＩＳＰが正確に該当加入者からの信号を認識することができるように、上り周波数帯域を分割して使用する必要性が台頭してきた。
【００１７】
発明の開示
従って、本発明の主な目的は、ケーブルＴＶ網において、データ上りストリームに使用される周波数帯域を分割することにより多重インターネットサービスを提供することにある。
【００１８】
本発明により、加入者からのデジタルデータ信号をＲＦ信号に変調する第１及び第２ケーブルモデムと、第１ケーブルモデムに接続され、第１ケーブルモデムからの変調されたＲＦ信号をフィルタリングする第１フィルタリング手段と、フィルタリングされた変調ＲＦ信号と、第２ケーブルモデムからの変調されたＲＦ信号とを伝送する伝送手段と、伝送手段に接続され、伝送手段によって伝送された変調ＲＦ信号をフィルタリングすることにより、第１フィルタリング手段からのフィルタリングされた変調ＲＦ信号を通過させる第２フィルタリング手段と、第２フィルタリング手段に接続され、第２フィルタリング手段によってフィルタリングされた変調ＲＦ信号を再びデジタルデータ信号に復調し、デジタルデータ信号を検査して既登録の加入者を識別することにより、加入者を該当ホストサーバに接続させる第１ケーブルモデム伝送システム（ＣＭＴＳ）と、伝送された変調ＲＦ信号を再びデジタルデータ信号に復調し、デジタルデータを検査して既登録の加入者を識別することにより、加入者を該当ホストサーバに接続させる第２ＣＭＴＳとを含む多重インターネット接続を提供するシステムが提供される。
【００１９】
好適な実施例の説明
本発明の上記目的そして他の目的及び特徴は添付の図面を用いて説明した好適な実施例により明らかになるであろう。
【００２０】
図２では、本発明によりケーブルモデムを用いてデジタルデータを伝送するための双方向光同軸ハイブリッド伝送システムのブロック図を示す。上記システムは、データ上りストリームにおいて周波数帯域分割技法を用いて異なるＩＳＰホストサーバに登録された各々の加入者が正確に該当ＩＳＰサーバに接続できるようにする。周波数帯域分割技法は、上記ケーブルシステムにおいてデータ上りストリームにフィルタを使用する。フィルタは、高域通過フィルタＨＰＦ、帯域通過フィルタＢＰＦまたは低域通過フィルタＬＰＦが使用できるが、望ましくはＨＰＦが使用される。
【００２１】
上記システムは、ＣＭＴＳ１００及び２００、ＣＭＴＳ１００及び２００に各々接続され、ＩＰアドレスや構成パラメータを加入者１１４及び２１４に自動的に割当てるＤＨＣＰサーバ（ホストサーバＩＳＰ１にある１０２とホストサーバＩＳＰ２にある２０２）と、伝送ライン５０、例えば、光同軸ハイブリッド伝送網と、第１及び第２フィルタ２２０及び２２２と、ケーブルモデム１１２及び２１２と、ケーブルコンバータ１２６と、加入者装置１１４、２１４及び２１８、例えば、ＰＣ、ＴＶなどとを含む。
【００２２】
伝送ライン５０は、ケーブルＴＶ ＲＦ信号とＣＭＴＳ１００及び２００からのＲＦデータ信号とを混合するミキサー１０４と、混合されたＲＦ信号を光信号に変換して伝送する光伝送器（ＯＸＴ）１０６と、下りストリームにおいて光信号を再び混合されたＲＦ信号に変換し、上りストリームにおいて加入者装置１１４及び２１４からのＲＦ信号を光信号に変換する光網終端装置１０８と、伝送された混合ＲＦ信号をケーブルモデム１１２及び２１２を介して各々の加入者装置１１４及び２１４に分配するタップ１１０と、光網終端装置１０８からの光信号を再びＲＦ信号に変換する光受信器（ＯＲＸ）１２０と、１６ＭＨｚ以下の伝送キャリア周波数をフィルタリングして除去する１６ＭＨｚ高域通過フィルタ１２２と、フィルタリングされたＲＦ信号をＣＭＴＳ１００及び２００に分配する分配器１２４とを含む。
【００２３】
上記ケーブルシステムにおいて、デジタルデータは、ＲＦキャリア信号を通して伝送される。
【００２４】
下りストリームにおいて、ＣＭＴＳ１００、２００は、デジタルデータを伝送ライン、例えば、光同軸ラインを介して加入者装置１１４、２１４に伝送されるＲＦ信号に変調する。ケーブルモデム１１２、２１２は、次に伝送されたＲＦ信号を復調し、復調されたデジタルデータを加入者装置１１４、２１４に伝送する。リターン経路、すなわち、上りストリームにおける動作は、ケーブルモデム１１４、２１４からの上りストリーム信号が第２フィルタ、例えば、３２ＭＨｚ高域通過フィルタによってフィルタリングされることを除いては、上記下りストリームにおける逆動作と同様である。
【００２５】
ＣＭＴＳ１００、２００の各々の主要機能は、（１）データネットワーク、例えば、インターネット１３０からの信号を受信して上記信号のフォーマットを変更、例えば、マイクロウェーブ信号をケーブル網において伝送するのに適した電気信号に変更し、（２）ケーブルシステムによって受信されたデータに対する適当なメディアアクセス制御（ＭＡＣ；media access control）レベルパケットヘッダを提供し、（３）ケーブルシステムへ／からのデータを変復調する。
【００２６】
ＤＨＣＰサーバ１０２または２０２は、加入者１１２または２１２が固定周期時間（リース）の間にＩＰアドレスを自動的に獲得することができるようにし、満了されたＩＰアドレスを他の加入者に再割当し、加入者装置動作に必要な追加の構成パラメータを提供する。ＩＰ接続技法は、次に詳細に説明する。
【００２７】
ミキサー１０４は、ケーブルＴＶ ＲＦ信号を変調されたＲＦ信号と混合し、混合されたＲＦ信号を出力する。次に、混合されたＲＦ信号は、光伝送器１０６で光信号に変換され、光ケーブル１１６を介して光網終端装置１０８に伝送される。光網終端装置１０８は、伝送された光信号を混合されたＲＦ信号に再び変換し、同軸ケーブル１１８を介してタップ１１０に伝送する。タップ１１０は、混合されたＲＦ信号をケーブルモデム１１２、２１２やケーブルコンバータ１２６を介して加入者装置に各々分配する。
【００２８】
上りストリーム信号用として使用される帯域は、一般的に５〜４２ＭＨｚである。上記周波数帯域は、ケーブルシステムを介して提供されるセットトップ・ボックス、ペイ・パー・ビュー及びその他のサービス、例えば、インターネットサービス用として割当てられる。
【００２９】
説明の簡潔化のために、加入者１の１１４は、ＩＳＰ１のホストサーバに登録されており、加入者２の２１４は、ＩＳＰ２のホストサーバに登録されていると仮定する。
【００３０】
ケーブルモデム１１２、２１２は、データ下りストリームにおいて変調されたＲＦ信号をデジタル信号に復調し、復調されたデジタルデータを加入者装置１１４、２１４に伝送する。データ上りストリームにおいては逆に動作する。すなわち、デジタルデータは、ケーブルモデムで伝送され、デジタルデータがＲＦ信号に変換される。一旦、ＣＭＴＳがＲＦ信号を受信すると、デジタルデータに復調した後、ホストサーバにデジタルデータを伝送する。
【００３１】
ＤＨＣＰサーバ１０２、２０２は、動的ホスト構成プロトコールを基盤にして加入者１１４、２１４にＩＰアドレスを自動的に割当てる。ＩＰアドレスを自動的に割当てる過程が詳細に説明される。
【００３２】
第１に、ＤＨＣＰサーバ２０２を識別するために、加入者２の２１４は、第１ＤＨＣＰＤＩＳＣＯＶＥＲパケットを放送する。第１ＤＨＣＰＤＩＳＣＯＶＥＲパケットは、ケーブルモデム２１２によって第１ＲＦ信号に変調され、次に伝送ライン５０を介して分配器１２４にフォワードされる。第１ＲＦ信号は、第２フィルタ２２２、例えば、３２ＭＨｚ ＨＰＦを介してＣＭＴＳ１００に、且つ、フィルタリング無しにＣＭＴＳ２００に分配される。加入者２の２１４は、第１ＤＨＣＰＤＩＳＣＯＶＥＲパケットを上り周波数帯域５〜４２ＭＨｚの全帯域に渡って接続ができるまで順次放送する。しかし、１６ＭＨｚ以下の帯域においては、雑音が激しくて１６ＭＨｚ ＨＰＦ１２２でフィルタリングされて実質的に使用されなくなる。
【００３３】
加入者２の２１４が第１ＤＨＣＰＤＩＳＣＯＶＥＲパケットを１６ＭＨｚ〜３２ＭＨｚのキャリア周波数で放送する場合、第１ＤＨＣＰＤＩＳＣＯＶＥＲパケットは、ＣＭＴＳ１００には伝送されず、ＣＭＴＳ２００のみに伝送することになる。よって、ＣＭＴＳ２００に既に登録されている加入者２の２１４は、より容易にＩＳＰ２ホストサーバに接続することができるようになる。
【００３４】
もし、加入者２の２１４が第１ＤＨＣＰＤＩＳＣＯＶＥＲパケットを３２ＭＨｚよりも高い周波数まで放送したが、いろいろな理由により、例えば、伝送路での雑音などにより、ＩＳＰ２ホストサーバに接続されなかった場合、第１ＤＨＣＰＤＩＳＣＯＶＥＲパケットは、ＣＭＴＳ２００にのみならず、ＣＭＴＳ１００にも伝送される。ＣＭＴＳ１００は、第１ＤＨＣＰＤＩＳＣＯＶＥＲパケットを受信した後、既に登録されている加入者ＩＤと第１ＤＨＣＰＤＩＳＣＯＶＥＲパケットとを比較して受容するか否かを決定する。第１ＤＨＣＰＤＩＳＣＯＶＥＲパケットがＣＭＴＳ１００には登録されていないため、加入者２の２１４は、ＣＭＴＳ１００には接続できない。
【００３５】
ＣＭＴＳ２００は、第１ＤＨＣＰＤＩＳＣＯＶＥＲパケットを受信し、既に登録されている加入者ＩＤと比較して受容するか否かを決定し、ＤＨＣＰサーバ２０２に伝送する。加入者２の２１４は、既にＣＭＴＳ２００に登録されているため、ＣＭＴＳ２００に受容される。よって、第１ＤＨＣＰＤＩＳＣＯＶＥＲパケットは、ＤＨＣＰサーバ２０２に伝送される。
【００３６】
ＤＨＣＰサーバ２０２は、利用可能なＩＰアドレスを含む第１ＤＨＣＰＯＦＦＥＲパケットで応答する。ＣＭＴＳ２００は、第１ＤＨＣＰＯＦＦＥＲパケットを検査し、加入者２の２１４に伝送する。
【００３７】
加入者２の２１４がＤＨＣＰＤＩＳＣＯＶＥＲパケットを放送した後、一定の時間の間に第１ＤＨＣＰＯＦＦＥＲパケットを受信することができない場合、第１ＤＨＣＰＤＩＳＣＯＶＥＲパケットを再び放送する。
【００３８】
加入者２の２１４は、その他の潜在的なサーバ、例えば、ＩＳＰ１のＤＨＣＰサーバ１０２からＤＨＣＰＯＦＦＥＲ信号を受信することができる。加入者２の２１４が多重応答を待機するように構成された場合、いくつかのＤＨＣＰサーバから受信されたＤＨＣＰＯＦＦＥＲパケットにある構成パラメータを検査してどのサーバが目標サーバであるかを決定することになる。
【００３９】
加入者２の２１４が目標サーバを選択した場合、すなわち、ＤＨＣＰサーバ２０２、加入者２の２１４は、第１ＤＨＣＰＲＥＱＵＥＳＴパケットを放送する。第１ＤＨＣＰＲＥＱＵＥＳＴパケットは、目標サーバのアドレスを含む。ＣＭＴＳ２００は、第１ＤＨＣＰＲＥＱＵＥＳＴパケットを受信し、ＩＳＰ２ホストサーバにある全サーバにフォワードする。ＩＳＰ２ホストサーバにあるサーバは、第１ＤＨＣＰＲＥＱＵＥＳＴパケットを検査し、サーバのＩＰアドレスが第１ＤＨＣＰＲＥＱＵＥＳＴパケットのサーバＩＰアドレスフィールドにある値と相違すると、第１ＤＨＣＰＲＥＱＵＥＳＴパケットにあるＩＰアドレスを再び要求することになる。
【００４０】
ＤＨＣＰサーバ２０２は、サーバＩＰアドレスフィールドにあるＩＰアドレスを確認し、第１ＤＨＣＰＲＥＱＵＥＳＴパケットに次のように応答する。
【００４１】
ＤＨＣＰサーバ２０２が要請された構成パラメータを供給することができる場合、第１ＤＨＣＰＡＣＫをＣＭＴＳ２００を介して加入者２の２１４に伝送する。加入者２の２１４は、第１ＤＨＣＰＡＣＫパケットの構成パラメータを検査し、リース持続時間を記録する。加入者２の２１４が構成パラメータに問題を検出した場合、第１ＤＨＣＰＤＥＣＬＩＮＥパケットをＤＨＣＰサーバ２０２に伝送し、新しいＤＨＣＰＤＩＳＣＯＶＥＲパケットを放送することになる。そうでない場合、加入者２の２１４は、構成パラメータを受容する。
【００４２】
上記のような過程を通じて、加入者２の２１４は、該当ＩＳＰ２ホストサーバに接続される。
【００４３】
第２に、ＤＨＣＰサーバ１０２を識別するために、加入者１の１１４は、第２ＤＨＣＰＤＩＳＣＯＶＥＲパケットを放送する。第２ＤＨＣＰＤＩＳＣＯＶＥＲパケットは、実質的に第１フィルタ、例えば、３２ＭＨｚ ＨＰＦにより３２ＭＨｚ以上の周波数帯域を使用することになる。第２ＤＨＣＰＤＩＳＣＯＶＥＲパケットは、伝送ライン５０を介してＣＭＴＳ１００とＣＭＴＳ２００の両方に伝送される。このとき、加入者１の１１４がＩＳＰ１ホストサーバに接続される過程は、上記に説明されたことと同様であり、説明を省略する。
【００４４】
上記に説明されたようにすると、加入者１の１１４は、上りストリーム帯域５〜４２ＭＨｚのうち３２ＭＨｚ以上の周波数帯域を使用することになり、加入者２の２１４は、１６ＭＨｚ以上の周波数帯域を使用することになる。３２ＭＨｚ以上の周波数帯域は、加入者１の１１４と加入者２の２１４が全て使用することができるが、加入者２の２１４は、１６ＭＨｚから第１ＤＨＣＰＤＩＳＣＯＶＥＲパケットを放送してＩＳＰ２ホストサーバとの接続を試み、接続できない場合、順次、例えば、１７ＭＨｚ、１８ＭＨｚなど、キャリア周波数を高めていくため、キャリア周波数が３２ＭＨｚ以下でより容易に接続することができることになる。
【００４５】
上記において、本発明の好適な実施の形態について説明したが、本発明の請求範囲を逸脱することなく、当業者は種々の改変をなし得るであろう。
【００４６】
従って、本発明によれば、データ上り周波数帯域を分割して各々のＩＳＰサーバと加入者が使用することになると、一つのケーブルシステムを使用して多重のインターネットサービスを誤接続無しに提供することができる。
【図面の簡単な説明】
【図１】  デジタルデータ伝送用としてケーブルモデムを使用する従来の双方向光同軸ハイブリッド伝送網のブロック図である。
【図２】  デジタルデータ伝送用としてケーブルモデムを使用する本発明による双方向光同軸ハイブリッド伝送網のブロック図である。
【図１】
0003725867.tif 000002
【図２】
0003725867.tif 000003